(57)【要約】【課題】アタッチメント本体の接続部の長さを短くできて、延長パイプ先端部の床用連結部への堅固な係合と、不使用時に掃除機本体の内に保管可能にする。【解決手段】アタッチメント本体１０は、根元側に前記手元グリップ部３または延長パイプ４の先端部への接続部１１を有し、長手方向先方へ向けて略偏平状部１２が形成され、その先端には略長方形状の吸口１３が形成されている。接続部１１の周囲には外方に偏力した撓み嵌合片１８が形成されている。接続部１１には強い保持機能を有する撓み嵌合片１８を形成するのみでよいので、接続部１１の長さは従来のものに比して短くすることができる。【選択図】      図２
2009131304.tif 000002
【特許請求の範囲】
【請求項１】
掃除機本体と、一端が掃除機本体に接続され、他端に手元グリップ部を有するホースと、該ホースの手元グリップ部に一端が着脱自在に接続される延長パイプと、該延長パイプ先端部の床用連結部と着脱自在に接続される床用吸込具とを備える電気掃除機における、該手元グリップ部または延長パイプ先端部の床用連結部に着脱自在に係合する電気掃除機用アタッチメントであって、一端側に吸口を、他端側に前記手元グリップ部または延長パイプ先端部と係合させる接続部を形成し、該接続部に、外方に偏力した撓み嵌合片を設けたことを特徴とする電気掃除機用アタッチメント。
【請求項２】
掃除機本体と、一端が掃除機本体に接続され、他端に手元グリップ部を有するホースと、該ホースの手元グリップ部に一端が着脱自在に接続される延長パイプと、該延長パイプ先端部の床用連結部と着脱自在に接続される床用吸込具とを備える電気掃除機における、該手元グリップ部または延長パイプ先端部の床用連結部に着脱自在に係合する電気掃除機用アタッチメントであって、一端側に吸口を、他端側に前記手元グリップ部または延長パイプ先端部と係合させる接続部を形成アタッチメント本体と、該アタッチメント本体の吸口近傍に回動自在に枢支されたブラシ体とからなり、前記接続部に、外方に偏力した撓み嵌合片を設けたことを特徴とする電気掃除機用アタッチメント。
【請求項３】
前記アタッチメント本体の接続部の撓み嵌合片は前記接続部に相対向して設けられていることを特徴とする請求項１または請求項２のいずれかに記載の電気掃除機用アタッチメント。
【請求項４】
前記接続部から吸口にわたって略偏平状に形成し、前記撓み嵌合片を偏平状に形成された位置に形成したことを特徴とする請求項１から請求項３のいずれかに記載の電気掃除機用アタッチメント。
【請求項５】
前記接続部から吸口にわたって略偏平状に形成して接続部との間に段部を形成し、該段部に漏らし穴が形成し、前記撓み嵌合片を漏らし穴近傍に形成したことを特徴とする請求項１から請求項３のいずれかに記載の電気掃除機用アタッチメント。
【請求項６】
前記掃除機本体に形成したアタッチメント収納部に、前記接続部の撓み嵌合片の弾性力により保持することを特徴とする請求項１から請求項５のいずれかに記載の電気掃除機用アタッチメント。
【請求項７】
前記接続部の軸方向長さを、接続部の外径より小さい寸法に形成したことを特徴とする請求項１から請求項６のいずれかに記載の電気掃除機用アタッチメント。
【発明の詳細な説明】
【技術分野】
【０００１】
本発明は溝、隙間は勿論のこと部屋のコーナや障子の桟などの掃除を可能とした電気掃除機用アタッチメントに関するものである。
【背景技術】
【０００２】
一般的な電気掃除機は、電動送風機を備えた本体と、床面に沿って移動される吸込部と、該本体と吸込部とを連結する可撓性ホースから構成される。図１は電気掃除機の全体図であり、集塵用の電動送風機を内蔵する掃除機本体１と、該掃除機本体１に接続される可撓性ホース５と、該可撓性ホース５に接続される延長パイプ４と、前記可撓性ホース５の前記延長管接続側に形成された手元グリップ部３に配設される手元スイッチ部（図示せず）と、回転ブラシと、該回転ブラシを回転駆動する駆動モータを内蔵して、前記延長パイプ４の床用連結部６に接続される床用吸込具２とからなる。
【０００３】
図示していないが、手元スイッチ部には、各種の運転運転を行うための操作スイッチ、例えば吸引能力を強くする強スイッチ、弱くする弱スイッチ、掃除機の運転を停止する切スイッチ、床磨きモードスイッチ、除塵手段の操作スイッチ等が選択可能に設けられている。
【０００４】
この種の電気掃除機を運転させると、本体に備えられた電動送風機の駆動により、吸込部から床面上等の空気が吸い込まれ、その吸気が、接続ホースを通って本体に形成された吸込口から本体内に吸い込まれる。本体内には、吸込口に連通し、紙パックを収容するための集塵室が形成されていて、吸込口から吸い込まれた吸気が集塵室を通過する過程で、その吸気に含まれる塵埃が紙パックにより捕獲され、集塵室に形成された排出口から排出されるようになっている。集塵室の排出口から排出された吸気は、本体内を通過して、本体の背面などに形成された排気口から機外に排出される。
【０００５】
溝、隙間などが被掃除部である場合には、先端にスリット状の吸口を形成した隙間用アタッチメントを用い、部屋のコーナや障子の桟などが被掃除部である場合には、吸口周囲にブラシを設けたブラシアタッチメントが使用されている。そのために、電気掃除機の手元グリップ部または延長パイプ先端部には、吸込口アタッチメントを接続させる必要があり、その際、吸込口アタッチメントを延長パイプにしっかりと保持する必要がある。
【０００６】
従来の隙間用の吸込口アタッチメントについて、図６に、図７を参照してアタッチメント本体と、アタッチメント本体を延長パイプの床用連結部に取り付けた状態を説明する。吸込口アタッチメント本体１０は、一端に偏平状の吸込口１３、他端に接続部１１を有し、家具間の隙間等を掃除するために、先端が他端より細くなったノズル１２を形成している。また、接続部１１は、延長パイプの床用連結部または手元グリップ部の内周に接続できるよう略円形状に形成されている。
【０００７】
２０は接続部１１の上面側の位置に形成された係合孔で、延長パイプの床用連結部６のクランプ２２に形成された凸部２１に係合できるようになっている。このような形態では、床用連結部６または手元グリップ部３の内周にガタツキなくしっかり取り付けるために、アタッチメント本体１０の接続部１１の長さを相当の長さ必要とした。また、アタッチメント本体１０の不使用時の保管場所を延長パイプ４の側面に求める場合も、ガタツキなくしっかり取り付けるために、接続部１１の長さをしかるべき長さが必要とされた（例えば、特許文献１参照）。
【０００８】
また、部屋のコーナや障子の桟などが被掃除部である場合には、吸口周囲にブラシを設けたブラシアタッチメントが使用されている。このようなアタッチメントの保管場所を延長パイプの側面に求めるものが、他の公知例にも紹介されている。この場合も、外部からの衝撃による付属部品の落下を確実に防止して、付属部品を安定して、確実に保持するための構成が示されているが、接続部の長さをそれ相当の長さにする必要があった（例えば、特許文献２参照）。
【特許文献１】特開２００７−１８５２２２号公報
【特許文献２】特開２００４−２６７３８７号公報
【発明の開示】
【発明が解決しようとする課題】
【０００９】
従来の吸込口アタッチメントでは、溝、隙間などが被掃除部である場合にはアタッチメント本体の略長方形の吸口を用い、部屋のコーナや障子の桟などが被掃除部である場合には、該アタッチメント本体の先方部にブラシ体を取り付けて用いるアタッチメントを、手元グリップ部または延長パイプ先端部の床用連結部に係合する場合、アタッチメントのテーパ嵌合には嵌合径のバラツキを吸収しガタツキなくしっかり取り付けるために、テーパ部分を長くする必要があり、アタッチメント本体の接続部の長さをしかるべき長さとする必要があった。また、アタッチメントの保管場所を掃除機本体に固定するのは径での取り付けとなるため、取付け調整が困難であった。延長パイプの側面に求める場合、外部からの衝撃による付属部品の落下を確実に防止して、付属部品を安定して、確実に保持するための機構は複雑になった。
【００１０】
そこで本発明は、アタッチメント本体の接続部の長さを短くできて、アタッチメントを手元グリップ部または延長パイプ先端部の床用連結部に係合する場合、ガタツキなくしっかり取り付けることができ、また、アタッチメントの不使用時の保管場所を掃除機本体の内に形成することができる電気掃除機用アタッチメントを提供することを目的とする。
【課題を解決するための手段】
【００１１】
上記課題を解決するために、本発明の請求項１に係る電気掃除機用アタッチメントは、掃除機本体と、一端が掃除機本体に接続され、他端に手元グリップ部を有するホースと、該ホースの手元グリップ部に一端が着脱自在に接続される延長パイプと、該延長パイプ先端部の床用連結部と着脱自在に接続される床用吸込具とを備える電気掃除機における、該手元グリップ部または延長パイプ先端部の床用連結部に着脱自在に係合する電気掃除機用アタッチメントであって、アタッチメントの根元側に、前記手元グリップ部または延長パイプ先端部と係合させる接続部を有し、長手方向先方へ向けて略偏平状とした先端には略長方形状の吸口を形成したアタッチメント本体と、このアタッチメント本体の先方部にブラシ体を着脱自在に枢支可能とし、前記アタッチメント本体の接続部の周囲に外方に偏力した撓み嵌合片を設けた構成とした。
【００１２】
本発明の請求項２に係る電気掃除機用アタッチメントは、掃除機本体と、一端が掃除機本体に接続され、他端に手元グリップ部を有するホースと、該ホースの手元グリップ部に一端が着脱自在に接続される延長パイプと、該延長パイプ先端部の床用連結部と着脱自在に接続される床用吸込具とを備える電気掃除機における、該手元グリップ部または延長パイプ先端部の床用連結部に着脱自在に係合する電気掃除機用アタッチメントであって、一端側に吸口を、他端側に前記手元グリップ部または延長パイプ先端部と係合させる接続部を形成アタッチメント本体と、該アタッチメント本体の吸口近傍に回動自在に枢支されたブラシ体とからなり、前記接続部に、外方に偏力した撓み嵌合片を設けた構成とした。
【００１３】
本発明の請求項３に係る電気掃除機用アタッチメントは、前記請求項１または請求項２のいずれかに記載の電気掃除機用アタッチメントにおいて、前記アタッチメント本体の接続部の撓み嵌合片は前記接続部に相対向して設けた構成とした。
【００１４】
こうして、アタッチメントを、手元グリップ部または延長パイプ先端部の床用連結部に係合する場合、アタッチメント本体の接続部の長さを短くできて、アタッチメントのテーパ嵌合には嵌合径のバラツキを吸収しガタツキなく、テーパ部分を長くする必要がなくしっかり取り付けることとができる。また、アタッチメントの保管場所を掃除機本体に固定することができ、外部からの衝撃による付属部品の落下を確実に防止して、付属部品を安定して、確実に保持することができる。
【００１５】
本発明の請求項４に係る電気掃除機用アタッチメントは、前記請求項１から請求項３のいずれかに記載の電気掃除機用アタッチメントにおいて、前記接続部から吸口にわたって略偏平状に形成し、前記撓み嵌合片を偏平状に形成された位置に形成した構成とした。
【００１６】
こうして、撓み嵌合片が形成される位置がアタッチメントの本体部から離間した位置となるため、接続部が変形しやすくなり、接続部自身の弾性も利用してアタッチメントを保持することができ、アタッチメントをより確実に保持することができる。
【００１７】
本発明の請求項５に係る電気掃除機用アタッチメントは、請求項１から請求項３のいずれかに記載の電気掃除機用アタッチメントにおいて、前記接続部から吸口にわたって略偏平状に形成して接続部との間に段部を形成し、該段部に漏らし穴が形成し、前記撓み嵌合片を漏らし穴近傍に形成した構成とした。
【００１８】
こうして、漏らし穴が形成されているため、接続部が変形しやすくなり、接続部自身の弾性も利用してアタッチメントを保持することができ、アタッチメントをより確実に保持することができる。
【００１９】
本発明の請求項６に係る電気掃除機用アタッチメントは、請求項１から請求項５のいずれかに記載の電気掃除機用アタッチメントにおいて、前記掃除機本体に形成したアタッチメント収納部に、前記接続部の撓み嵌合片の弾性力により保持するような構成とした。
【００２０】
本発明の請求項７に係る電気掃除機用アタッチメントは、請求項１から請求項６のいずれかに記載の電気掃除機用アタッチメントにおいて、前記接続部の軸方向長さを、接続部の外径より小さい寸法に形成した。
【００２１】
こうして、接続部の軸方向長さを短くすることができ、掃除機本体の上カバーの下に収納場所を確保することができ、そのなかに収納保管することが可能となり、衝撃による落下を防止できる。
【発明の効果】
【００２２】
以上のように、本発明の電気掃除機用アタッチメントは、溝、隙間などが被掃除部である場合にはアタッチメント本体の略長方形の吸口を用い、部屋のコーナや障子の桟などが被掃除部である場合には、該アタッチメント本体の先方部にブラシ体を取り付けて用いるアタッチメントを、手元グリップ部または延長パイプ先端部の床用連結部に係合する場合、アタッチメント本体の接続部の長さを短くできて、アタッチメントのテーパ嵌合には嵌合径のバラツキを吸収しガタツキなく、テーパ部分を長くする必要がなくしっかり取り付けることとができる。また、アタッチメントの保管場所を掃除機本体に固定することができ、外部からの衝撃による付属部品の落下を確実に防止して、付属部品を安定して、確実に保持することができる。
【発明を実施するための最良の形態】
【００２３】
本発明の実施形態を以下に説明する。図２は本発明の電気掃除機用のアタッチメントの斜視図である。図において、アタッチメント本体１０は、根元側に前記手元グリップ部３または延長パイプ４の先端部への接続部１１を有し、長手方向先方へ向けて略偏平状部１２が形成され、その先端には略長方形状の吸口１３が形成されている。接続部１１の軸方向長さは、接続部の外径より小さい寸法に形成されている。
【００２４】
このアタッチメント本体１０の略偏平状部１２の先端部にはブラシ体を軸支するための枢支軸１９が設けられ、接続部１１の周囲には外方に偏力した撓み嵌合片１８が形成されている。撓み嵌合片１８は接続部１１に１個所形成しても最低限の機能を果たすが、アタッチメント本体１０を手元グリップ部３または延長パイプ先端部の床用連結部４と係合するときに、しっかりと連結するために、接続部１１の対称面に２個所またはそれ以上の複数個を形成することができる。このように、接続部１１には強い保持機能を有する撓み嵌合片１８を形成するのみでよいので、接続部１１の長さは従来のものに比して短くすることができる。
【００２５】
また、アタッチメント本体１０の根元側には吸気の漏らし穴１７が設けられている。この吸気の漏らし穴１７は掃除機が強力に空気を吸い込んだときに、アタッチメント本体１０の被掃除面からの吸気の速度が過度にならないようにすると共に、吸込口１３が詰まったときに、電動機の過負荷を防止する役目を果たすために形成されている。
【００２６】
図３は本発明の別のアタッチメントの斜視図である。図２と同じ部材についての説明は省略する。このアタッチメント本体１０の先方部にブラシ体１４が回動自在に枢支軸１９に枢着されている。このブラシ体１４は吸口１３と対応する前方、上方及び後方に開口部と、ブラシ枠１５とを有し、この該ブラシ枠１５の後方開口部に、通常、毛でなるブラシ１６が植設されている。このブラシを使用する際には、ブラシ体１４を枢支１９を中心に吸入口側に回動する。また、アタッチメント本体１０の根元側には吸気の漏らし穴１７が設けられている。この例においても、接続部１１には強い保持機能を有する撓み嵌合片１８を形成するのみでよいので、接続部１１の長さは従来のものに比して短くすることができ、接続部１１の軸方向長さは、接続部の外径より小さい寸法に形成されている。
【００２７】
図４はブラシ付アタッチメント本体１０の接続部１１と延長パイプ先端部の床用連結部６と係合図であり、図４（Ａ）は側面図、図４（Ｂ）はＡ−Ａ断面図である。アタッチメント本体１０の接続部１１は、延長パイプ先端部の床用連結部６の内側に、接続部１１の周囲に形成された撓み嵌合片１８の外方への偏力に抗して挿入され、所定の位置で外方に偏力した撓み嵌合片１８が床用連結部６の内面に押圧密着する。このとき、床用連結部６の内側と接続部１１の外径との間に、ａ部分の撓みがあるため、嵌合代が増えて、アタッチメント１０のテーパ嵌合が嵌合径のバラツキを吸収して、しっかりと両者は連結・保持される。
【００２８】
次に、図５は掃除機本体１の上面図であり、本発明のアタッチメントを不使用時に、その保管場所を掃除機本体の内に形成する実施形態を説明する。掃除機本体１の上面カバー３０の内に空間を形成し、そこに本発明の接続部１１の長さが短いアタッチメント本体１０を収納する。アタッチメント本体１０の接続部１１に形成された、外方に偏力した撓み嵌合片１８が、上面カバー３０の内に形成された保持部材３２に嵌合され、押圧密着して保持することができる。この後、透明あるいは不透明の上蓋３１を閉じることで収納は終了する。このように、本発明のアタッチメント本体１０の接続部１１の長さを短かくすることにより、掃除機本体１に収納保管することが可能となり、収納保管場所の確保と、衝撃による脱落を防止できる。
【００２９】
上記説明では、嵌合の仕組みを本発明のアタッチメントに適用した実施形につき述べたが、電気掃除機の通常の床用吸込具あるいは他のテーパ嵌合する部位にも適用できることは明らかである。
【図面の簡単な説明】
【００３０】
【図１】電気掃除機の全体概要図。
【図２】本発明の電気掃除機用アタッチメントの斜視図。
【図３】本発明の他の電気掃除機用アタッチメントの斜視図。
【図４】本発明のアタッチメント本体の接続部と延長パイプの床用連結部との係合図。
【図５】本発明のアタッチメントを掃除機本体に収納する実施形態図。
【図６】従来の電気掃除機用アタッチメントの斜視図。
【図７】従来のアタッチメント本体の接続部と延長パイプの床用連結部との係合図。
【符号の説明】
【００３１】
１                掃除機本体
２                床用吸込具
３                手元グリップ部
４                延長管
５                可撓性ホース
６                床用連結部  
１０              アタッチメント本体
１１              接続部
１２              略偏平状部
１３              略長方形状の吸口
１４              ブラシ体
１５              ブラシ枠
１６              ブラシ
１７              吸気の漏らし穴
１８              撓み嵌合片
１９              枢支軸
２０              係合孔
２１              凸部
２２              クランプ
３０              掃除機本体上面カバー
３１              上蓋
３２              保持部材
【図１】
2009131304.tif 000003
【図２】
2009131304.tif 000004
【図３】
2009131304.tif 000005
【図４】
2009131304.tif 000006
【図５】
2009131304.tif 000007
【図６】
2009131304.tif 000008
【図７】
2009131304.tif 000009